Podtech/llm-jp-corpus-v4-ja_patent huggingface dataset:
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
本体の下部に設けられ、略水平面の頂壁と該頂壁と連続する主側壁と少なくとも１つの副側壁とを備え、前記本体の側部に向いた開口を有する凹部と、
前記主側壁に入口が設けられた給電部と
を備える電気機器において、
前記頂壁に上向きに窪んだ防水溝を設けたことを特徴とする電気機器。
【請求項２】
前記防水溝は、一方の端部及び他方の端部がともに前記給電部の入口以外の主側壁に位置し、又は前記一方の端部が前記給電部の入口以外の主側壁に位置し前記他方の端部が前記副側壁に位置することを特徴とする請求項１に記載の電気機器。
【請求項３】
前記主側壁の両側にそれぞれ隣接して前記副側壁があり、
前記防水溝は、一方の端部が一方の前記副側壁に位置し、他方の端部が他方の前記副側壁に位置することを特徴とする請求項１に記載の電気機器。
【請求項４】
前記端部と連結された側壁溝を前記主側壁と前記副側壁のうち少なくとも一方に設けたことを特徴とする請求項２又は請求項３に記載の電気機器。
【請求項５】
前記防水溝の深さは、前記給電部の入口に近い方の端部から遠い方の端部に向かって浅くなることを特徴とする請求項１ないし請求項４のいずれか１項に記載の電気機器。
【請求項６】
前記防水溝の深さは、前記開口側の外縁から前記給電部側に向かって深くなることを特徴とする請求項１ないし請求項４のいずれか１項に記載の電気機器。
【請求項７】
前記給電部は、一方側に前記入口として差込口が形成され、かつ、他方側に端子が装着された端子ケーシングを備えたことを特徴とする請求項１ないし請求項６のいずれか１項に記載の電気機器。
【請求項８】
前記端子ケーシングの前記差込口側の上面に、前記主側壁に沿って溝を設けたことを特徴とする請求項７に記載の電気機器。
【請求項９】
前記給電部は、前記本体の内部に収容されたコードリールに巻回された電源コードを備え、前記入口は前記電源コードの挿通口であることを特徴とする請求項１ないし請求項６のいずれか１項に記載の電気機器。
【請求項１０】
前記防水溝を互いに間隔をあけて複数設けたことを特徴とする請求項１ないし請求項９のいずれか１項に記載の電気機器。
【手続補正２】
【補正対象書類名】明細書
【補正対象項目名】０００９
【補正方法】変更
【補正の内容】
【０００９】
前記防水溝は、一方の端部及び他方の端部がともに前記給電部の入口以外の主側壁に位置し、又は前記一方の端部が前記前記給電部の入口以外の主側壁に位置し前記他方の端部が前記副側壁に位置することが好ましい。この構成によれば、防水溝に入り込んだ水を防水溝内部の内壁を伝わせて給電部の入口から離れた端部に移動させることができるので、主側壁に設けられた給電部の入口への水の浸入を確実に防止できる。あるいは、前記主側壁の両側にそれぞれ隣接して前記副側壁があり、前記防水溝は、一方の端部が一方の前記副側壁に位置し、他方の端部が他方の前記副側壁に位置してもよい。
【手続補正３】
【補正対象書類名】明細書
【補正対象項目名】００１３
【補正方法】変更
【補正の内容】
【００１３】
前記給電部は、一方側に前記入口として差込口が形成され、かつ、他方側に端子が装着された端子ケーシングを備えることが好ましい。この構成によれば、頂壁の防水溝が上向きに窪んでいるので、凹部に給電部の差込口を設けても電源コードを差込口に接続する際に、電源コードを凹部に挿入し難くなることを回避できる。
【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
遊技媒体が始動領域に進入したことに基づいて、各々を識別可能な識別情報の変動表示を開始し、表示結果を導出表示する変動表示部を備え、該変動表示部の表示結果が特定表示結果となったときに、遊技状態を通常遊技状態よりも遊技者にとって有利な特定遊技状態に制御する遊技機であって、
所定の制御条件が成立したときに、前記特定遊技状態とは異なる遊技者にとって有利な有利状態に制御する有利状態制御手段と、
前記有利状態に制御されているときにおいて、予め定められた移行条件が成立したときに、当該有利状態よりも有利度合いが高い有利状態に移行させることにより、複数段階で有利状態を移行させる有利状態移行手段と、
前記複数段階の有利状態のうち、有利度合いが最も高い最高有利状態以外の有利状態において、有利度合いがさらに高い有利状態へ移行する期待感を煽るための特別演出を実行する特別演出実行手段とを備えることを特徴とする、遊技機。
【手続補正２】
【補正対象書類名】明細書
【補正対象項目名】０００８
【補正方法】変更
【補正の内容】
【０００８】
（１）  遊技媒体（遊技球）が始動領域（第１始動入賞口１３、第２始動入賞口１４）に進入したことに基づいて、各々を識別可能な識別情報（図柄）の変動表示を開始し、表示結果を導出表示する変動表示部（第１特別図柄表示器８ａ、第２特別図柄表示器８ｂ、演出表示装置９）を備え、該変動表示部の表示結果が特定表示結果（大当り表示結果）となったときに、遊技状態を通常遊技状態よりも遊技者にとって有利な特定遊技状態（大当り遊技状態）に制御する遊技機（パチンコ遊技機１）であって、
所定の制御条件が成立したとき（大当り遊技状態が終了したとき）に、前記特定遊技状態とは異なる遊技者にとって有利な（確変状態および電チューサポート制御状態（高ベース状態）等が行なわれる）有利状態（第２遊技モード、第３遊技モードＡ，Ｂ、第４遊技モード）に制御する有利状態制御手段（遊技制御用マイクロコンピュータ５６０、図２９のＳ１７３〜Ｓ１７６，Ｓ１７９〜Ｓ１８６Ａ，Ｓ１９９〜Ｓ２０４）と、
前記有利状態に制御されているときにおいて、予め定められた移行条件が成立したとき（遊技モードに応じて予め定められた大当り遊技状態が終了したとき）に、当該有利状態よりも有利度合いが高い有利状態に移行させることにより、複数段階（第２遊技モード、第３遊技モードＡ，Ｂ、第４遊技モードの複数段階）で有利状態を移行させる有利状態移行手段と、
前記複数段階の有利状態のうち、有利度合いが最も高い最高有利状態（第４遊技モード）以外の有利状態（第２遊技モード、第３遊技モードＡ，Ｂ）において、有利度合いがさらに高い有利状態へ移行する期待感を煽るための特別演出（特別演出１，２）を実行する（図３４（Ａ）で第２遊技モードおよび第３遊技モードには特別演出が設定されているが、第４遊技モードには、特別演出が設定されておらず、図４７のＳ５０８，５２０では、第２遊技モードおよび第３遊技モードのときには特別演出の実行を設定するが、第４遊技モードのときには特別演出の実行を設定しない）特別演出実行手段（図２９のＳ１７９〜Ｓ１８６Ａ，Ｓ１９９〜Ｓ２０４）とを備える。
【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
インク吐出面を有するインクジェットヘッドと、待機状態で該インク吐出面に接近して吐出面と対向プレートとの間隙に相転移型インクを保持する機能を有する対向プレートとを有し、該対向プレートが加熱手段を有することを特徴とするインクジェット記録装置。
【請求項２】
前記対向プレートが冷却手段を有することを特徴とする請求項１に記載のインクジェット記録装置。
【請求項３】
前記間隙が５０〜１５００μｍであることを特徴とする請求項１または２に記載のインクジェット記録装置。
【請求項４】
前記対向プレートを冷却または加熱することにより、前記間隙に保持した相転移型インクの流動性を変化させる手段を有することを特徴とする請求項１〜３のいずれか１項に記載のインクジェット記録装置。
【請求項５】
前記対向プレートを内包する被覆部材を有し、待機状態において、該被覆部材は、前記インクジェットヘッドと密着して、前記インク吐出面を覆い、該被覆部材と該インクジェットヘッドにより囲まれた空間を外気から遮断する機能を有することを特徴とする請求項１〜４のいずれか１項に記載のインクジェット記録装置。
【請求項６】
前記被覆部材はポンプに接続され、前記空間を大気圧より低い圧力に保持する機能を有することを特徴とする請求項５に記載のインクジェット記録装置。
【手続補正２】
【補正対象書類名】明細書
【補正対象項目名】００１０
【補正方法】変更
【補正の内容】
【００１０】
１．インク吐出面を有するインクジェットヘッドと、待機状態で該インク吐出面に接近して吐出面と対向プレートとの間隙に相転移型インクを保持する機能を有する対向プレートとを有し、該対向プレートが加熱手段を有することを特徴とするインクジェット記録装置。
【手続補正３】
【補正対象書類名】明細書
【補正対象項目名】００１４
【補正方法】変更
【補正の内容】
【００１４】
５．前記対向プレートを内包する被覆部材を有し、待機状態において、該被覆部材は、前記インクジェットヘッドと密着して、前記インク吐出面を覆い、該被覆部材と該インクジェットヘッドにより囲まれた空間を外気から遮断する機能を有することを特徴とする前記１〜４のいずれか１項に記載のインクジェット記録装置。
【手続補正４】
【補正対象書類名】明細書
【補正対象項目名】００４３
【補正方法】変更
【補正の内容】
【００４３】
（動作例２）
前記動作例１において、インクジェットヘッドが対比場所に移動したら、対向プレートの加熱手段を起動し所定の温度に上げ、インクジェットヘッドと対向プレートが前記間隙を形成する他は同様に動作を行う。対向プレートの加熱はインクジェットヘッドのインク吐出面に対向プレートが接近する前に行われてもよく、または接近してから行われても良い。加熱はインクが前記間隙に満たされるまで行うことが好ましく、間隙にインクが満たされた後、加熱を終了する。対向プレートを加熱することにより、間隙に吐出されたインクの流動性を高く保つことが出来、対向プレートが冷却されてインクがゲル化温度より低くなったときに、より均一で強固なインクの膜が間隙に形成される。そのためインクジェットヘッドの内部のインクが収縮して負の応力が掛かってもより強力に空気の侵入を防止できる。
【手続補正５】
【補正対象書類名】明細書
【補正対象項目名】００５０
【補正方法】変更
【補正の内容】
【００５０】
動作例４と同様に、保管状態のインクジェットヘッドの加熱装置を働かせ、インクジェットヘッド内のインクを流動性にし、内部応力をゼロにした後、対向プレートを加熱して前記間隙を満たしていたインクを流動性にする。その後、前記空間を減圧し、圧力室内の微小な気泡と共にインクをインクジェットヘッドより流出させる。被覆部材と対向プレートをインクジェットヘッドから離間させ、吐出面をワイピングによりクリーニングして、インクジェットヘッドをプリント可能な状態にする。
【手続補正書】
【提出日】平成24年6月5日(2012.6.5)
【手続補正１】
【補正対象書類名】明細書
【補正対象項目名】００２７
【補正方法】変更
【補正の内容】
【００２７】
図２，３に示されるように、ドライブユニット３０は、内視鏡１０の挿入部１１の先端部１６が貫通し先端部１６に装着される装着孔３１を有する円筒状の第１内筒３２と、その外周を被う第１内筒３２で支持された円筒状の第１外筒３５と、第１内筒３２と第１外筒３５とにそれぞれ嵌合して、その間に空間が形成されるようにそれぞれを同軸に支持する前蓋３７と後蓋３８とから構成される。なお、図４に示されるように、前蓋３７を第１外筒３５と一体に形成しても良く、後蓋３８を第１内筒３２と一体に形成しても良い。
【手続補正２】
【補正対象書類名】明細書
【補正対象項目名】００２９
【補正方法】変更
【補正の内容】
【００２９】
トロイドユニット５０は、袋体４０と、袋体４０の内部空間に配置され、袋体４０の内径側の内面４３に接触して駆動ホイール４５との間で袋体４０を挟持する従動ローラ４６，４７が設けられた円筒状の第２内筒５１と、第２内筒５１に外嵌されて回転可能に支持された円筒状の第２外筒５２とから構成される。図５，６に示されるように、従動ローラ４６，４７は、軸受部材５４に並列に軸支され、軸受部材５４は従動ローラ４６と４７の間が解除バネ５５の一端に係合されている。従動ローラ４７は中央部分４８が細径に形成されて解除バネ５５の逃げ代４９が設けられている。
【手続補正３】
【補正対象書類名】明細書
【補正対象項目名】００３７
【補正方法】変更
【補正の内容】
【００３７】
図７〜９に示されるように、内視鏡１０から取り外された自己推進装置２０は、第２外筒５２がロック位置にあり、駆動ホイール４５と従動ローラ４６，４７が袋体４０を挟持し圧接した状態となっているので、そのままではドライブユニット３０をトロイドユニット５０から引き抜くことができない。そこで、袋体４０の外側から第２外筒５２を図９に示された矢印７３の方向に回し、第２外筒５２をロック解除位置（図１０で示される位置）に移動すると、従動ローラ４６，４７が解除バネ５５によって矢印７４で示す方向に移動して、駆動ホイール４５と従動ローラ４６，４７の係合が解除される。
【手続補正書】
【提出日】平成24年7月16日(2012.7.16)
【手続補正１】
【補正対象書類名】特許請求の範囲
【補正対象項目名】請求項６
【補正方法】変更
【補正の内容】
【請求項６】
前記成形体は、前記溝の前面開口を介して外界に開放した開孔部を有し、前記植物の根鉢部分が前記開孔部内に挿入されることを特徴とする請求項１乃至５のいずれか１項に記載の緑化基盤。
【手続補正２】
【補正対象書類名】特許請求の範囲
【補正対象項目名】請求項１２
【補正方法】変更
【補正の内容】
【請求項１２】
壁面緑化用植物を植栽した緑化基盤によって壁面を緑化する壁面緑化構造において、
前記壁面は、外界に開放し且つ横方向又は水平方向に延びる前面開口形の溝を有する建築構造物又は土木構造物の外装パネル材により形成され、
前記植物を植栽した前記緑化基盤が前記溝内に収容され且つ保持され、前記植物を前記溝の前面開口から外界に露出せしめ、
前記緑化基盤は、前記溝と直交する断面を多角形断面に賦形した固化培土の成形体と、前記固化培土の形状保持力を高めるために、前記溝の長手方向に延びる前記成形体の角部領域を少なくとも被覆する外装被覆材とを有することを特徴とする壁面緑化構造。
【手続補正３】
【補正対象書類名】特許請求の範囲
【補正対象項目名】請求項１８
【補正方法】変更
【補正の内容】
【請求項１８】
前記外装パネル材は、押出成形セメント板からなり、前記溝は、前記押出成形セメント板の外面に上下間隔を隔てて突設された平行なＴ形リブによって形成されることを特徴とする請求項１２乃至１７のいずれか１項に記載の壁面緑化構造。
【手続補正４】
【補正対象書類名】明細書
【補正対象項目名】００１０
【補正方法】変更
【補正の内容】
【００１０】
本発明は又、このような緑化基盤を壁面パネルの溝内に挿入してなる壁面緑化構造を提供することを目的とする。
【手続補正５】
【補正対象書類名】明細書
【補正対象項目名】００３８
【補正方法】変更
【補正の内容】
【００３８】
図１（Ｂ）に示すように、上下に間隔を隔てたリブ５の間に形成された前面開口形の溝は、緑化基盤１１（図３）を挿入可能な緑化基盤保持空間１０を形成する。緑化基盤保持空間１０は、下側の基部５ａの上面５ｄと、下側の突条５ｂの内側面５ｈと、上側の基部５ａの下面５ｅと、上側の突条５ｃの内側面５ｉと、パネル本体の前面（正面）５ｆとによって画成される。上面５ｄには、水勾配が付けられており、上面５ｄは外方且つ下方に傾斜する。上面５ｄの両端部には、図２に破線で示す如く、堰８が形成される。堰８は、上面５ｄ上の水が上面５ｄの端部から流出するのを阻止する。上面５ｄと上向き突条５ｂとの境界部分には、パネル１の長手方向に延びる排水溝５ｇが形成される。
【手続補正６】
【補正対象書類名】明細書
【補正対象項目名】００５７
【補正方法】変更
【補正の内容】
【００５７】
底壁５１と、一方の側壁５２との連接部には、下型５０の全長に亘ってインサート５６が配設される。インサート５６は、面取り部分１２を面取り加工するためのものであり、面取り部分１２の幅Ｗ３、厚さＴ３と一致する底辺寸法及び高さ寸法の直角三角形断面を有する。
【手続補正７】
【補正対象書類名】明細書
【補正対象項目名】００６７
【補正方法】変更
【補正の内容】
【００６７】
このように熱融着性繊維を混合した育苗用培土については、例えば、特開2002-58340号公報、特開2003-339226号公報等に記載されている。熱融着性繊維を混合した培土は、熱融着性繊維の溶融・軟化による繊維同士の接着や、繊維と他の成分との接着により三次元の網目状補強構造を形成する。従って、加熱処理後の培土は、固化するとともに、ある程度の形状保持力を発揮する性質を有する。しかしながら、固化後の培土は、手指等によって比較的容易に崩れる脆弱な性状を依然として有する。このような育苗用培土は、例えば、みのる産業株式会社製「エクセルソイル」として市場で入手することができる。なお、調整後の培土基材Ｓは、所望により加水処理を行った後、図１３に示すように下型５０内に投入される。
【手続補正８】
【補正対象書類名】明細書
【補正対象項目名】００６９
【補正方法】変更
【補正の内容】
【００６９】
上型６０及び下型５０は、プレス機等による加圧工程を経た後、図１６に示す如く加熱装置９０による加熱処理工程を受ける。加熱装置９０は、上型６０及び下型５０を搬送する搬送装置９１と、搬送装置９１上の上型６０及び下型５０を約１００℃の水蒸気によって加熱する加熱部９２とを備える。下型５０内の不織布７０、接着用シート８０及び培土基材Ｓは、底壁５１の貫通孔を介して下型５０内に作用する水蒸気の潜熱・顕熱と、下型５０を介して倍土基材Ｓに熱伝達する水蒸気の顕熱とによって加熱される。培土基材Ｓの熱融着性繊維は、溶融・軟化して、繊維同士や、繊維と他の成分とを接着し、加熱装置９０を出た後に自然冷却して固化する。また、接着用シート８０は熱融解し、加熱装置９０を出た後に自然冷却して培土基材Ｓの外面に不織布７０を接着する。
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
医療用インプラントの少なくとも一部分をコーティングするための方法において、コーティングされる表面を有する医療用インプラントを提供し、かつこのコーティングされる医療用インプラント表面を、少なくとも１種の製薬学的活性物質および／または１種の骨成長促進物質を含む粉末と接触させ、それによりこの粉末は、接触を介して医療用インプラント表面に運搬され、かつ、接触後にこの粉末の少なくとも一部分がコーティングされる表面に付着し、この際、この粉末は、開口部を有する容器中に供給されており、それにより医療用インプラントをこの開口部を介して導入することで、コーティングすべき表面がコーティングされ、かつ、この際、この医療用インプラントを、粉末との接触前に、粉末が位置する容器中に導入し、かつ、医療用インプラントへの粉末の運搬後にこの容器から引き抜くことを特徴とする、前記方法。
【請求項２】
コーティングされる医療用インプラント表面を、粉末との接触前に液体と接触させ、好ましくは液体中に含浸するか、あるいは液体で塗装または湿潤させる、請求項１に記載の方法。
【請求項３】
医療用インプラントを、弾性変形可能な運搬手段上を通過させることで、液体、好ましくは少なくとも１種の製薬学的活性物質を含有する液体が、この運搬手段上を通過する間に、運搬手段からコーティングされる医療用インプラント表面に運搬される、請求項１または２に記載の方法。
【請求項４】
医療用インプラントを膜を介して押し通すか、あるいは膜を医療用インプラントと粉末との接触前に開放し、この際、この膜は、粉末の少なくとも一部分を覆い、好ましくはこの膜は、粉末を容器中に密閉している、請求項１から３までのいずれか１項に記載の方法。
【請求項５】
運搬された粉末の一部分が、特に医療用インプラントを容器から引き抜く際に、好ましくはこの目的のためにデザインされたワイパーで拭き取られる、請求項１から４までのいずれか１項に記載の方法。
【請求項６】
医療用インプラント表面の少なくとも５０％、好ましくは８０％、特に好ましくは少なくとも９０％がコーティングされている、請求項１から５までのいずれか１項に記載の方法。
【請求項７】
粉末が、空気流により巻き上げられることで、医療用インプラントの完全なコーティングを獲得する、請求項１から６までのいずれか１項に記載の方法。
【請求項８】
請求項１から７までのいずれか１項に記載の方法により、医療用インプラントの少なくとも一部分をコーティングするための装置（１，２１）において、この装置（１，２１）が、少なくとも１種の製薬学的活性物質および／または１種の骨成長促進物質を含有する粉末（１８）を、医療用インプラントとの接触により医療用インプラントに運搬できるように含み、この際、この粉末（１８）は、医療用インプラントを出し入れするための開口部を含む容器（２，２４）中に配置されていることを特徴とする、前記装置（１，２１）。
【請求項９】
開口部が、プルオフ型の蓋により閉じられている、請求項８に記載の装置（１，２１）。
【請求項１０】
装置（１，２１）が、好ましくは開口部領域中、特に開口部と粉末（１８）との間に配置されたワイパー（６，２６）を含む、請求項８または９に記載の装置（１，２１）。
【請求項１１】
ワイパー（６，２６）が円板形状であり、かつこの円板の上部と下部をつなぐ少なくとも１個の刻み目（２７）を含む、請求項１０に記載の装置（１，２１）。
【請求項１２】
ワイパー（６，２６）が円錐体の外被部分（６）のようにか、あるいは半球体外面のように成形されており、この際、円錐体または半球体の先端部が粉末（１８）に向けられており、かつ、好ましくはこの円錐体または半球体は、ワイパー（６，２６）の上部と下部をつなぐ少なくとも１個の刻み目（２７）を含む、請求項１０に記載の装置（１，２１）。
【請求項１３】
運搬手段（８）が、粉末（１８）上方に配置されており、かつ医療用インプラントに対して液体を運搬するために使用することができ、この際、この液体は、運搬手段（８）中に含まれている、請求項８から１２までのいずれか１項に記載の装置（１，１２）。
【請求項１４】
運搬手段（８）が孔を含み、かつこの運搬手段（８）の孔が液体を、好ましくは溶液および／または懸濁液の形で含み、この際、この液体は、好ましくは第２の製薬学的活性物質を含んでいる、請求項１３に記載の装置（１，１２）。
【請求項１５】
骨成長促進物質が、リン酸カルシウム粉末、特に好ましくはα−リン酸カルシウムとβ−リン酸カルシウムとの混合物を含む、請求項８から１４までのいずれか１項に記載の装置（１，１２）。
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
遊技領域に設けられた始動口と、
前記始動口への始動入賞に基づいて抽選を行う抽選手段と、
前記抽選の結果が第１当りであるときには、少なくとも賞球が付与されうる機会を提供する第１の利益を遊技者に付与する第１利益付与手段と、
前記抽選の結果が第２当りであるときには、少なくとも賞球が付与されうる機会を提供するものの、前記第１の利益よりも利益度合いが低い第２の利益を遊技者に付与する第２利益付与手段と、
前記抽選の結果情報が表示される結果情報表示手段と、
を備え、
前記結果情報表示手段は、点灯または／および消灯される複数のＬＥＤから構成されるものであり、
前記複数のＬＥＤの各々が点灯または消灯されて該複数のＬＥＤを全体で見たときに文字情報として認識できない表示パターンが表示されることによって、該表示パターンからは、前記抽選の結果が前記第１当りまたは前記第２当りであったとしても、該第１当りと該第２当りとのうちいずれが当選されたかを一見して区別し難くされており、
さらに、
前記遊技領域の略中央に配置されて、所定の演出画像が表示される演出画像表示手段と、
前記抽選の結果を示す演出画像を、前記結果情報表示手段にて表示される前記結果情報とは別に、前記第１の利益または前記第２の利益の付与に先だって前記演出画像表示手段に表示しうる演出画像表示制御手段と、
を備え、
前記演出画像表示制御手段は、
前記抽選の結果を示す演出画像として、前記抽選の結果が前記第１当りまたは前記第２当りであったとしても該第１当りと該第２当りとのうちいずれが当選されたかの情報を含まずに、前記抽選に当選したことを示す当り演出画像を表示する
ことによって、前記抽選に当選したことについては前記演出画像表示手段にて前記当り演出画像が表示されることから容易に把握しうるものの、前記第１の利益と前記第２の利益とのうちいずれの利益が付与されるかについては前記表示パターンと前記演出画像とのいずれからも容易に把握され難いようにした
ことを特徴とする遊技機。
【請求項２】
前記抽選手段は、
前記始動口への始動入賞に基づいて乱数を取得し、該取得した乱数を用いて前記抽選を行う
請求項１に記載の遊技機。
【請求項３】
前記演出画像表示手段は、液晶表示器である
請求項１または２に記載の遊技機。
【手続補正２】
【補正対象書類名】明細書
【補正対象項目名】０００６
【補正方法】変更
【補正の内容】
【０００６】
しかしながら、このような公知の遊技機では、遊技様態を外部に出力しない期間内において次のような問題点が生ずるおそれがある。すなわち、例えばホール従業員が遊技者の意に反して不正に遊技機の内部状態である遊技様態を変更しようとした際に、その遊技者がこの不正行為に気付かないおそれがあるのである。具体的には、例えばホールの従業員が遊技機の不具合対処を装って、遊技様態が内部的に確率変動状態となっている遊技機に対していわゆるＲＡＭクリア処理（初期化処理）を行うことで、遊技者にとって不利な低確率状態に変更されてしまうおそれがある。このような不正が行われたのでは、大当たりにより本来享受することができたはずの利益を享受することができなくなってしまい、興趣が低下するおそれがあった。
【手続補正３】
【補正対象書類名】明細書
【補正対象項目名】０００７
【補正方法】変更
【補正の内容】
【０００７】
そこで本発明は、興趣の低下を抑制することを目的としたものである。
【手続補正４】
【補正対象書類名】明細書
【補正対象項目名】００４６
【補正方法】削除
【補正の内容】
【手続補正書】
【提出日】平成24年10月19日(2012.10.19)
【手続補正１】
【補正対象書類名】明細書
【補正対象項目名】００１３
【補正方法】変更
【補正の内容】
【００１３】
更に、請求項４に記載の構成は、左右一対の加圧体１’，１’と、これらの加圧体１’，１’に枢軸２，２を介して連結された左右一対の操作ハンドル３，３と、前記一対の加圧体１’，１’どうしを連結する連結ピン４とを備えた工具であって、操作ハンドル３，３の上部が同一平面において突き合わせ状に配置され、その対向面３１，３１が特定の円弧状とされて直接接当し合うカム当たり面３２，３２に形成され、かつ、前記枢軸２，２と他方の操作ハンドル３，３のそれぞれに別途形成した枢支ピン６，６との間に、左右のハンドル３，３間を表裏面で個別に連結する二つの連結金具７，７を、正面視で、たすき掛け状となるように傾斜配置して、それぞれの上下両端部７ａ，７ｂを前記枢軸２，２と枢支ピン６，６とに連結させ、該枢支ピン６，６の位置設定により前記連結金具７，７のたすき掛け状姿勢を特定してハンドル３，３どうしの角度変化に伴って、前記カム当たり面３２，３２が低位置ｂから次第に高位置ａに移行するように設定してある構成としたものである。
【手続補正２】
【補正対象書類名】明細書
【補正対象項目名】００３３
【補正方法】変更
【補正の内容】
【００３３】
図１１乃至図１４は、前記各実施例における切断刃体に変えて加圧体の形状に変えた左右一対の加圧体１’，１’の形状を、電線端子の圧着に適した凹入窪みと小突起とを形成してあるものとした圧着用のハンドプレス工具として使用するのに適した工具の実施例を第３実施例として以下に説明する。
【手続補正３】
【補正対象書類名】明細書
【補正対象項目名】００３７
【補正方法】変更
【補正の内容】
【００３７】
この工具の加圧体１’，１’とハンドル３，３との相対関係を示す図として、初期開き状態と、中間状態及び閉止状態の３態様の変化を、図１４として上下方向に経時的に示した。この工具に関する加圧体とハンドルとの関係を計測した計測結果は、後記表１のハンドルＣ欄に示してある。
【手続補正４】
【補正対象書類名】明細書
【補正対象項目名】００３８
【補正方法】変更
【補正の内容】
【００３８】
このように設定することによって、カム当たり面３２，３２どうしの接当面が、低位置ｂから次第に高位置ａへ、符号Ｌ５からＬ６のように平面視では上方に向かって移行することにより、加圧体１’，１’への圧力は作用開始の当初から前半部にあっては強い力は出し難いが、終期段階において加圧体１’，１’への圧力を最大限に集中させることができる。
【手続補正５】
【補正対象書類名】明細書
【補正対象項目名】００５０
【補正方法】変更
【補正の内容】
【００５０】
１  切断刃体
１’  加圧体
２  枢軸
２Ａ  支軸
３  ハンドル
４  連結ピン
５  連結板
６  枢支ピン
７  連結金具
７ａ  上端部
７ｂ  下端部
３１  対向面
３２  カム当たり面
【手続補正６】
【補正対象書類名】特許請求の範囲
【補正対象項目名】請求項４
【補正方法】変更
【補正の内容】
【請求項４】
左右一対の加圧体(1'，1')と、これらの加圧体(1'，1')に枢軸(2，2)を介して連結された左右一対の操作ハンドル(3，3)と、前記一対の加圧体(1'，1')どうしを連結する連結ピン(4)とを備えた工具であって、
操作ハンドル(3，3)の上部が同一平面において突き合わせ状に配置され、その対向面(31，31)が特定の円弧状とされて直接接当し合うカム当たり面(32，32)に形成され、かつ、
前記枢軸(2，2)と他方の操作ハンドル(3，3)のそれぞれに別途形成した枢支ピン(6，6)との間に、左右のハンドル(3，3)間を表裏面で個別に連結する二つの連結金具(7，7)を、正面視で、たすき掛け状となるように傾斜配置して、それぞれの上下両端部(7a，7b)を前記枢軸(2，2)と枢支ピン(6，6)とに連結させ、
該枢支ピン(6，6)の位置設定により前記連結金具(7，7)のたすき掛け状姿勢を特定してハンドル(3，3)どうしの角度変化に伴って、前記カム当たり面(32，32)が低位置ｂから次第に高位置(a)に移行するように設定してある電線端子圧着用の請求項１に記載のハンドプレス工具。
【手続補正７】
【補正対象書類名】図面
【補正対象項目名】図１１
【補正方法】変更
【補正の内容】
【図１１】
2012130589.tif 000001
【手続補正８】
【補正対象書類名】図面
【補正対象項目名】図１４
【補正方法】変更
【補正の内容】
【図１４】
2012130589.tif 000002
【手続補正書】
【提出日】平成24年7月13日(2012.7.13)
【手続補正１】
【補正対象書類名】明細書
【補正対象項目名】発明の名称
【補正方法】変更
【補正の内容】
【発明の名称】録画装置及びコンテンツの受信、録画および管理方法
【手続補正２】
【補正対象書類名】特許請求の範囲
【補正対象項目名】全文
【補正方法】変更
【補正の内容】
【特許請求の範囲】
【請求項１】
コンテンツを受信して録画する録画装置において、
コンテンツを受信する第１の受信部と、
コンテンツを受信する第２の受信部と、
前記第１の受信部または前記第２の受信部で受信したコンテンツを録画する録画部と、
前記第１の受信部または前記第２の受信部で受信したコンテンツ、または前記録画部で録画したコンテンツをデコードして出力する出力部と、
前記第１の受信部と前記第２の受信部と前記録画部と前記出力部とを制御する制御部とを備え、
前記制御部は、
前記第１の受信部で受信するコンテンツと前記第２の受信部で受信するコンテンツとについての前記録画部における録画の予約を制御する録画予約の制御機能と、
前記録画部で録画したコンテンツを管理する管理機能とを有し、
前記制御部による前記録画予約の制御状態には、前記第１の受信部で受信するコンテンツの録画予約と前記第２の受信部で受信するコンテンツの録画予約とにおいて、同一のコンテンツの録画が重複して予約されることを制限する制御状態があり、
前記制御部による前記録画したコンテンツの管理状態には、
前記録画部で録画したコンテンツを取り出し可能な記録媒体に複製する状態がある
ことを特徴とする録画装置。
【請求項２】
第1の受信部と第２の受信部を有する録画装置におけるコンテンツの受信、録画および管理方法において、
前記第１の受信部で受信するコンテンツおよび前記第２の受信部で受信するコンテンツについての録画予約を制御する録画予約の制御ステップと、
前記第1の受信部または前記第２の受信部でコンテンツを受信する受信ステップと、
前記受信ステップで受信したコンテンツを前記録画予約にしたがって録画する録画ステップと、
前記受信ステップで受信したコンテンツ、または前記録画ステップで録画したコンテンツをデコードして出力する出力ステップと、
前記録画ステップで録画したコンテンツの管理ステップとを備え、
前記録画予約の制御ステップでは、前記第１の受信部で受信するコンテンツの録画予約と前記第２の受信部で受信するコンテンツの録画予約とにおいて、同一のコンテンツの録画が重複して予約されることを制限し、
前記コンテンツの管理ステップにおける前記録画したコンテンツの管理状態には、
前記録画ステップで録画したコンテンツを取り出し可能な記録媒体に複製する状態がある
ことを特徴とするコンテンツの受信、録画および管理方法。
【手続補正書】
【提出日】平成24年11月13日(2012.11.13)
【手続補正１】
【補正対象書類名】特許請求の範囲
【補正対象項目名】全文
【補正方法】変更
【補正の内容】
【特許請求の範囲】
【請求項１】
ハウジングと、
ステータコアとコイルとを備えるステータと、
ロータコアと永久磁石とを有し、前記ステータを軸方向から挟み込むように当該ステータにエアギャップを介して設けられ、シャフトを備えた２つのロータと、
前記エアギャップの幅を変更するための可変ギャップ機構と、を備えたアキシャルギャップ型回転電機において、
前記アキシャルギャップ型回転電機の回転力とは異なる動力源であって、可変ギャップ機構を駆動する動力源を有し、
前記可変ギャップ機構は、ネジ部と前記ネジ部を保持するナット部とを備え、
前記ネジ部は、前記動力源と接続され、前記動力源により前記ネジ部が回転することにより前記ロータを移動させることを特徴とするアキシャルギャップ型回転電機。
【請求項２】
請求項１に記載のアキシャルギャップ型回転電機において、
前記ロータが、前記ネジ部と係合する係合部を備え、
前記係合部が、前記ロータの前記ネジ部と対向する面に、前記シャフトを回転軸とするスラストベアリングにより構成されていることを特徴とするアキシャルギャップ型回転電機。
【請求項３】
請求項２に記載のアキシャルギャップ型回転電機において、
前記係合部が、前記ネジ部の前記ロータ側に、前記ネジ部を回転軸としたスラストベアリングを備えたことを特徴とするアキシャルギャップ型回転電機。
【請求項４】
請求項１に記載のアキシャルギャップ型回転電機において、
前記可変ギャップ機構が、前記ステータの外周に配置され、互いに逆ネジの関係にある２つのネジ部、および、前記ステータに固定されたナット部を有することを特徴とするアキシャルギャップ型回転電機。
【請求項５】
請求項１に記載のアキシャルギャップ型回転電機において、
前記可変ギャップ機構が、前記ステータの内周に配置され、互いに逆ネジの関係にある２つのネジ部、および、前記ステータに固定されたナット部を有することを特徴とするアキシャルギャップ型回転電機。
【請求項６】
請求項５に記載のアキシャルギャップ型回転電機において、
前記ロータが、ボールスプライン機構を介し、前記ロータごとに設けられた２つのシャフトに各々接続され、
前記シャフトは、内部に前記動力源から前記ネジ部への動力伝達機構を備えることを特徴とするアキシャルギャップ型回転電機。
【請求項７】
請求項６に記載のアキシャルギャップ型回転電機において、
前記動力伝達機構が、前記動力源に接続された第１のギヤと、前記ネジ部に接続され、前記第１のギヤと係合する第２のギヤとから構成されていることを特徴とするアキシャルギャップ型回転電機。
【請求項８】
請求項５に記載のアキシャルギャップ型回転電機において、
２つの前記シャフトは、前記ハウジングの外部で単一のシャフトに結合されることを特徴とするアキシャルギャップ型回転電機。
【請求項９】
請求項５に記載のアキシャルギャップ型回転電機において、
２つの前記ロータの間に、前記ロータ間の周方向の相対位置を機械的に結合するロータ結合機構を設けたことを特徴とするアキシャルギャップ型回転電機。
【請求項１０】
請求項９に記載のアキシャルギャップ型回転電機において、
前記ロータ結合機構がシリンダであることを特徴とするアキシャルギャップ型回転電機。
【請求項１１】
請求項１に記載のアキシャルギャップ型回転電機において、
前記ロータコアは、電磁鋼板，アモルファス金属、または電磁ステンレス鋼からなることを特徴とするアキシャルギャップ型回転電機。
【請求項１２】
請求項１に記載のアキシャルギャップ型回転電機において、
前記永久磁石は、リング状の極異方着磁磁石であることを特徴とするアキシャルギャップ型回転電機。
【請求項１３】
請求項１に記載のアキシャルギャップ型回転電機において、
前記ステータコアは、電磁鋼板，アモルファス金属、または電磁ステンレス鋼からなることを特徴とするアキシャルギャップ型回転電機。
【請求項１４】
請求項１に記載のアキシャルギャップ型回転電機において、
前記動力源は、サーボモータであることを特徴とするアキシャルギャップ型回転電機。
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
ユーザーがマニュアル操作によってデータを入力し、該入力データを後記データ処理手段へ送信する入力手段と；
無線信号を受信してデジタル信号に変換の上、後記データ処理手段に送信するとともに、後記データ処理手段から受信したデジタル信号を無線信号に変換して送信する無線通信手段と；
後記データ処理手段を動作させるプログラムと後記データ処理手段で処理可能なデータファイルとを格納する記憶手段と；
前記入力手段から受信したデータ及び前記記憶手段に格納されたプログラムとに基づき、前記無線通信手段から受信したデジタル信号に必要な処理を行って、デジタル表示信号を生成して送信するデータ処理手段と；
画面を構成する各々の画素が駆動されることにより画像を表示するディスプレイパネルと、前記データ処理手段から受信したデジタル表示信号に基づき前記ディスプレイパネルの各々の画素を駆動するディスプレイ制御手段Ａとから構成されるディスプレイ手段と；
外部ディスプレイ手段を含む周辺装置、又は、外部ディスプレイ手段が接続される周辺装置を接続し、該周辺装置に対して、前記データ処理手段から受信したデジタル表示信号に基づき、外部表示信号を送信するインターフェース手段と；
を備えるとともに、
前記無線通信手段と前記データ処理手段とが相俟って、インターネットに接続したウェブサーバから画像データファイルを取得する機能を実現するとともに、
前記データ処理手段は、前記画像データファイルの本来解像度が前記ディスプレイパネルの画面解像度より大きい場合でも、前記画像データファイルを前記記憶手段に一旦格納し、その後読み出した上で処理することによって、前記画像データファイルの本来画像の全体画像のデジタル表示信号を生成する機能を有することを特徴とする携帯情報通信装置。
【請求項２】
前記画像データファイルの本来解像度が前記ディスプレイパネルの画面解像度より大きい場合に、
前記データ処理手段と前記ディスプレイ制御手段Ａとが相俟って、前記ディスプレイパネルに、前記画像データファイルの本来画像の対象全体をカバーする全体画像ではあるが、解像度は前記ディスプレイパネルの画面解像度を上回らない画像を表示する機能を実現するとともに、
前記データ処理手段と前記インターフェース手段Ａ１とが相俟って、該インターフェース手段Ａ１から、周辺装置における高解像度外部ディスプレイ手段がそれを受信して適正に処理することにより、前記画像データファイルの本来画像を表示することが可能であるような外部表示信号を送信する機能を実現することを特徴とする、請求項１に記載の携帯情報通信装置。
【請求項３】
ユーザーがマニュアル操作によってデータを入力し、該入力データを後記データ処理手段へ送信する入力手段と；
「アナログテレビ放送信号、デジタルテレビ放送信号、携帯テレビ電話信号、インターネットプロトコルに準拠した無線ストリーミング信号のうちの少なくとも１つの無線信号」（以下、「無線動画信号」と略記する）を受信し、該無線動画信号をデジタル動画信号に変換した上で後記データ処理手段に送信する無線受信手段と；
後記データ処理手段を動作させるプログラムと後記データ処理手段で処理可能なデータファイルとを格納する記憶手段と；
前記入力手段から受信したデータ及び前記記憶手段に格納されたプログラムとに基づき、前記無線受信手段から受信したデジタル動画信号に必要な処理を行ってデジタル表示信号を生成し、該デジタル表示信号を後記ディスプレイ制御手段及び／又は後記インターフェース手段に送信するデータ処理手段と；
画面を構成する各々の画素が駆動されることにより画像を表示するディスプレイパネルと、前記データ処理手段から受信したデジタル表示信号に基づき前記ディスプレイパネルの各々の画素を駆動するディスプレイ制御手段Ａとから構成されるディスプレイ手段と；
外部ディスプレイ手段を含む周辺装置、又は、外部ディスプレイ手段が接続される周辺装置を接続し、該周辺装置に対して、前記データ処理手段から受信したデジタル表示信号に基づき、外部表示信号を送信するインターフェース手段と；
を備えるとともに、
前記データ処理手段は、前記無線動画信号の本来解像度が前記ディスプレイパネルの画面解像度より大きい場合でも、前記デジタル動画信号をリアルタイムで処理することによって、及び／又は、前記デジタル動画信号を自らが処理可能な画像データファイルとして前記記憶手段に一旦格納し、その後読み出した上で処理することによって、前記無線動画信号の本来画像の全体画像のデジタル表示信号を生成する機能を有することを特徴とする携帯情報通信装置。
【請求項４】
前記無線動画信号の本来解像度が前記ディスプレイパネルの画面解像度より大きい場合に、
前記データ処理手段と前記ディスプレイ制御手段Ａとが相俟って、前記ディスプレイパネルに、前記無線動画信号の本来画像の対象全体をカバーする全体画像ではあるが、解像度は前記ディスプレイパネルの画面解像度を上回らない画像を表示する機能を実現するとともに、
前記データ処理手段と前記インターフェース手段Ａ１とが相俟って、該インターフェース手段Ａ１から、周辺装置における高解像度外部ディスプレイ手段がそれを受信して適正に処理することにより、前記無線動画信号の本来画像を表示することが可能であるような外部表示信号を送信する機能を実現することを特徴とする、請求項３に記載の携帯情報通信装置。
【手続補正書】
【提出日】平成24年6月6日(2012.6.6)
【手続補正１】
【補正対象書類名】明細書
【補正対象項目名】０００６
【補正方法】変更
【補正の内容】
【０００６】
本発明による移動通信システムは、
移動局と、第一の交換局と第一の無線基地局とを含む第一の通信網と、第二の交換局と第二の無線基地局とを含む第二の通信網とを有する移動通信システムであって、
前記第一及び第二の無線基地局のうち、前記第一の無線基地局のみがページングを送信する場合、
前記第二の交換局は、音声着信を受けると、前記第一の通信網へ端末呼び出しメッセージを送信し、
前記第一の交換局は、前記端末呼び出しメッセージを受信すると、前記第一の無線基地局へ、前記ページングの送信要求を送信し、
前記第一の無線基地局は、前記ページングの送信要求を受信すると、前記ページングを前記移動局に送信し、
前記移動局は、前記ページングを受信したとき、前記第二の交換局との間の無線回線を確立し、
前記第一の通信網の通信方式と前記第二の通信網の通信方式はそれぞれ異なることを特徴とする。
【手続補正２】
【補正対象書類名】明細書
【補正対象項目名】０００７
【補正方法】変更
【補正の内容】
【０００７】
本発明による通信制御方法は、
移動局と、第一の交換局と第一の無線基地局とを含む第一の通信網と、第二の交換局と第二の無線基地局とを含む第二の通信網と、を有する移動通信システムにおける通信制御方法であって、
前記第一及び第二の無線基地局のうち、前記第一の無線基地局のみがページングを送信する場合、
音声着信を受けた前記第二の交換局が、前記第一の通信網へ端末呼び出しメッセージを送信する工程と、
前記第一の交換局が、前記端末呼び出しメッセージを受信すると、前記第一の無線基地局へ、前記ページングの送信要求を行う工程と、
前記第一の無線基地局が、前記ページングの送信要求を受信すると、前記ページングを前記移動局に送信する工程と、
前記移動局が、前記ページングを受信したとき、前記第二の交換局との間の無線回線を確立する工程と、を有し、
前記第一の通信網の通信方式と前記第二の通信網の通信方式はそれぞれ異なることを特徴とする。
【手続補正３】
【補正対象書類名】明細書
【補正対象項目名】０００８
【補正方法】変更
【補正の内容】
【０００８】
本発明による移動局は、
第一の交換局を含む第一の通信網と、第二の交換局を含む第二の通信網と、を有する移動通信システムにおける移動局であって、
前記第一及び第二の無線基地局のうち、前記第一の通信網のみからページングを送信する場合において、音声着信を受けた前記第二の交換局が送信する端末呼び出しメッセージを受信した前記第一の交換局から前記ページングの送信要求を受信した、前記第一の通信網の無線基地局から送信される、前記ページングを受信する受信手段と、
前記ページングを受信したとき、前記第二の交換局との間の無線回線を確立する手段と、を有し、
前記第一の通信網の通信方式と前記第二の通信網の通信方式はそれぞれ異なることを特徴とする。
【手続補正４】
【補正対象書類名】特許請求の範囲
【補正対象項目名】全文
【補正方法】変更
【補正の内容】
【特許請求の範囲】
【請求項１】
移動局と、第一の交換局と第一の無線基地局とを含む第一の通信網と、第二の交換局と第二の無線基地局とを含む第二の通信網とを有する移動通信システムであって、
前記第一及び第二の無線基地局のうち、前記第一の無線基地局のみがページングを送信する場合、
前記第二の交換局は、音声着信を受けると、前記第一の通信網へ端末呼び出しメッセージを送信し、
前記第一の交換局は、前記端末呼び出しメッセージを受信すると、前記第一の無線基地局へ、前記ページングの送信要求を送信し、
前記第一の無線基地局は、前記ページングの送信要求を受信すると、前記ページングを前記移動局に送信し、
前記移動局は、前記ページングを受信したとき、前記第二の交換局との間の無線回線を確立し、
前記第一の通信網の通信方式と前記第二の通信網の通信方式はそれぞれ異なる、移動通信システム。
【請求項２】
前記第二の通信網の通信方式はＷ−ＣＤＭＡである、請求項１に記載の移動通信シスム。
【請求項３】
前記移動局は、前記第一の通信網に対して位置登録処理を行なう、請求項１または２に記載の移動通信システム。
【請求項４】
移動局と、第一の交換局と第一の無線基地局とを含む第一の通信網と、第二の交換局と第二の無線基地局とを含む第二の通信網と、を有する移動通信システムにおける通信制御方法であって、
前記第一及び第二の無線基地局のうち、前記第一の無線基地局のみがページングを送信する場合、
音声着信を受けた前記第二の交換局が、前記第一の通信網へ端末呼び出しメッセージを送信する工程と、
前記第一の交換局が、前記端末呼び出しメッセージを受信すると、前記第一の無線基地局へ、前記ページングの送信要求を行う工程と、
前記第一の無線基地局が、前記ページングの送信要求を受信すると、前記ページングを前記移動局に送信する工程と、
前記移動局が、前記ページングを受信したとき、前記第二の交換局との間の無線回線を確立する工程と、を有し、
前記第一の通信網の通信方式と前記第二の通信網の通信方式はそれぞれ異なる、通信制御方法。
【請求項５】
前記第二の通信網の通信方式は、Ｗ−ＣＤＭＡである、請求項４に記載の通信制御方法。
【請求項６】
前記移動局は、前記第一の通信網に対して位置登録処理を行なう、請求項４または５に記載の通信制御方法。
【請求項７】
第一の交換局を含む第一の通信網と、第二の交換局を含む第二の通信網と、を有する移動通信システムにおける移動局であって、
前記第一及び第二の無線基地局のうち、前記第一の通信網のみからページングを送信する場合において、音声着信を受けた前記第二の交換局が送信する端末呼び出しメッセージを受信した前記第一の交換局から前記ページングの送信要求を受信した、前記第一の通信網の無線基地局から送信される、前記ページングを受信する受信手段と、
前記ページングを受信したとき、前記第二の交換局との間の無線回線を確立する手段と、を有し、
前記第一の通信網の通信方式と前記第二の通信網の通信方式はそれぞれ異なる、移動局。
【請求項８】
前記第二の通信網の通信方式は、Ｗ−ＣＤＭＡである、請求項７に記載の移動局。
【請求項９】
前記移動局は、前記第一の通信網に対して位置登録処理を行なう、請求項７または８に記載の移動局。
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
ラックガイド本体とこのラックガイド本体に嵌着された合成樹脂製の摺接面部材とを具備しており、ラックガイド本体は、ラックピニオン式ステアリング装置のハウジングの円筒状の内周面に隙間をもって対面するようになっている円筒状の外周面と、この外周面に軸方向に伸びて設けられた複数個の溝と、軸方向の一端面に設けられた凹面とを有しており、摺接面部材は、ラックガイド本体の凹面に着座される湾曲部と、この湾曲部に一体的に形成された複数個の隙間保持部とを有しており、湾曲部は、ラックバーに摺動自在に接触する摺接面を有しており、各隙間保持部は、径方向においてラックガイド本体の外周面から突出するようにしてラックガイド本体の対応の溝に嵌合されていると共に径方向において突出した突出端面でラックピニオン式ステアリング装置のハウジングの円筒状の内周面に摺動自在に接触するようになっており、隙間保持部の端部には、ラックガイド本体の他端面に引っ掛けて摺接面部材とラックガイド本体とを互いに一体結合させる爪部が一体的に設けられているラックガイド。
【請求項２】
ラックガイド本体は、軸方向の他端面に設けられた凹所と、この凹所に連通して中央部に軸方向に伸びて設けられた貫通孔とを有しており、摺接面部材は、ラックガイド本体の貫通孔に装着されていると共に湾曲部に一体的に形成された突起を有している請求項１に記載のラックガイド。
【請求項３】
突起は、貫通孔からの抜け出しを阻止する膨大部を有する請求項２に記載のラックガイド。
【請求項４】
ラックガイド本体の溝は、軸周りの方向で互いに略等角度間隔に配されて少なくとも三個設けられており、各隙間保持部は、ラックガイド本体の対応の溝に夫々嵌合されている請求項１から３のいずれか一項に記載のラックガイド。
【請求項５】
回転自在なピニオンと、このピニオンと噛み合うラック歯を有すると共に直動自在な前記ラックバーと、ピニオンを回転自在に支持する前記ハウジングと、ラックバーを摺動自在に支持する請求項１から４のいずれか一項に記載のラックガイドと、このラックガイドをピニオンに向かって押圧する弾性手段とを具備しているラックピニオン式ステアリング装置。